(57)【要約】      （修正有）【課題】携帯用電子機器を支持することができるキーボードモジュールを提供する。【解決手段】キーボードモジュール５０は、キーボードベース５２と支持機構５４とを含む。支持機構はキーボードベース上に配置される。収容スペース５６が支持機構内部に形成され、支持機構は少なくとも１つのトラック５８と、支持装置６０とを有する。少なくとも１つのトラックは収容スペースに配置される。支持装置は収容スペース内部に摺動可能に配置され、支持装置は少なくとも１つのスロットに沿って摺動して、収容スペースの外部の、携帯用電子機器を支持するための支持位置まで伸びる。【選択図】図３
2015036978.tif 000002
【特許請求の範囲】
【請求項１】
キーボードベースと、
前記キーボードベース上に配置され、その内部に収容スペースが形成される支持機構であって、
前記収容スペース内に配置される少なくとも１つのトラックと、
前記収容スペースの内部に摺動可能に配置され、前記少なくとも１つのトラックに沿って摺動して、前記収容スペースの外部の、携帯用電子機器を支持するための支持位置まで伸びる支持装置と、を有する支持機構と、を含む、
キーボードモジュール。
【請求項２】
前記支持装置は係合部を有し、前記支持機構は前記収容スペースの内部に配置される位置決めブロックをさらに有し、該係合部は該位置決めブロックと係合し、前記支持装置を固定位置に固定するためのものである、
請求項１に記載のキーボードモジュール。
【請求項３】
前記位置決めブロックに接続されるトリガー要素をさらに含み、該トリガー要素は、押されると、前記位置決めブロックを駆動して前記係合部から分離させるためのものである、
請求項２に記載のキーボードモジュール。
【請求項４】
前記支持機構はさらに、
前記位置決めブロックが前記係合部から分離させられた後、前記支持装置を駆動して前記固定位置から前記支持位置に移動させるための駆動ユニットと、
前記収容スペースの一方の側に配置され、前記支持装置が前記支持位置に移動するときに前記支持装置を止めるためのものである２つのストッパーと、を有する、
請求項３に記載のキーボードモジュール。
【請求項５】
前記駆動ユニットは、
前記収容スペースの他方の側に配置される２つの第１の磁性要素と、
前記支持装置に配置される２つの第２の磁性要素と、を有し、
前記２つの第１の磁性要素及び前記２つの第２の磁性要素は同じ磁極を有し、前記位置決めブロックが係合部から分離された後、前記２つの第１の磁性要素と前記２つの第２の磁性要素との間に生じる磁気の反発力によって、前記支持装置は前記固定位置から前記支持位置へ移動する、
請求項４に記載のキーボードモジュール。
【請求項６】
前記駆動ユニットは、前記収容スペースの前記一方の側に配置される２つの第３の磁性要素をさらに有し、前記２つの第２の磁性要素と該２つの第３の磁性要素は反対の磁極を有し、前記支持装置は、前記２つの第３の磁性要素と前記２つの第２の磁性要素との間の磁気の引力によって前記支持位置に固定される、
請求項５に記載のキーボードモジュール。
【請求項７】
前記駆動ユニットは弾性要素を有し、該弾性要素の一端は前記収容スペースの前記他方の側に接続され、該弾性要素の他端は、前記支持装置に接続され、該弾性要素は、前記位置決めブロックが前記係合部から分離された後、前記固定位置から前記支持位置へ移動するよう前記支持装置を駆動する弾発力をもたらすためのものである、
請求項４に記載のキーボードモジュール。
【請求項８】
前記キーボードモジュールはさらに２つのトラックを含み、該トラックの各々には固定ブロックが配置され、前記支持装置はさらに２つの支持ユニットを有し、該支持ユニットの各々は、
スロット及び接触部が形成される摺動要素と、
その一端が前記スロットの一端に配置される第１の弾性要素と、
前記スロットに配置され、その一端にシャフトを有し、該シャフトについて前記スロットの他端へ回転する支持要素であって、突起が形成される支持要素と、
前記シャフトを覆い、前記支持要素を駆動して回転させるためのものである第２の弾性要素と、
その第１の端部が前記第１の弾性要素の他端に接続され、その第２の端部が前記支持要素の前記一端に接続されるリンク要素であって、該リンク要素の、対応する前記トラックに面する側に駆動ブロックが配置され、前記支持装置が前記２つのトラックに沿って第１の方向へ摺動すると、前記固定ブロックは対応する前記駆動ブロックに接触し、対応する駆動ブロック及びリンク要素を駆動して前記第１の方向とは逆の第２の方向へ摺動させ、前記支持要素を駆動して第１の回転方向に回転させ、前記支持要素の前記突起が前記接触部に接触した後、前記支持要素は前記携帯用電子機器を支持するリンク要素と、を有する、
請求項１に記載のキーボードモジュール。
【請求項９】
前記支持装置はさらに、前記携帯用電子機器の第２のコネクターを接続するための第１のコネクターを有し、当該キーボードモジュールと前記携帯用電子機器との間で信号を送信する、
請求項８に記載のキーボードモジュール。
【請求項１０】
第１の磁気引力要素が前記第１のコネクター上に配置され、第２の磁気引力要素が前記携帯用電子機器の前記第２のコネクター上に配置され、該第１の磁気引力要素と該第２の磁気引力要素とが互いに引き付け合う、
請求項９に記載のキーボードモジュール。
【請求項１１】
前記支持装置が前記２つのトラックに沿って前記第１の方向とは逆の前記第２の方向へ摺動すると、前記駆動ブロックの各々はそれぞれ対応する前記固定ブロックから分離させられ、前記第１の弾性要素は前記リンク要素を前記第１の方向へ押す弾発力を与え、前記第２の弾性要素は前記支持要素を駆動して前記第１の回転方向とは逆の第２の回転方向に回転させ、前記支持要素が前記スロットに収容された後、前記支持装置が前記収容スペース内へ摺動する、
請求項８に記載のキーボードモジュール。
【請求項１２】
前記キーボードベースに対して回転する固定要素であって、前記携帯用電子機器が前記キーボードモジュールに対して折り畳まれるときに、回転して前記携帯用電子機器の側部に接触し、前記携帯用電子機器がキーボードベースに対して動くのを防ぐためのものである固定要素をさらに含む、
請求項１に記載のキーボードモジュール。
【請求項１３】
前記キーボードベースの下に配置される少なくとも１つの滑り止め要素をさらに含む、
請求項１に記載のキーボードモジュール。
【請求項１４】
前記支持機構は前記キーボードベースに移動可能に取り付けられる、
請求項１に記載のキーボードモジュール。
【発明の詳細な説明】
【技術分野】
【０００１】
本発明は携帯用電子機器を支持することができるキーボードモジュールに関し、より詳細には、携帯用電子機器を支持することができ、かつ収容されることができる支持機構を有するキーボードモジュールに関する。
【背景技術】
【０００２】
電子製品の市場において、タブレット型コンピューター等の携帯用電子機器は非常に人気が高い商品である。タブレット型コンピューターはキーボードベースと共に使用することができるので、キーボードベースはタブレット型コンピューターを支持でき、又は入力インターフェースとして機能できる。例えば、タブレット型コンピューターを普通のノート型パソコンとして使用するとき、タブレット型コンピューターをキーボードベースにはめ込むことができる。しかし、従来のキーボードベースにはタブレット型コンピューターを接続するためのスロットが１つしかないので、ユーザーはタブレット型コンピューターを１つの固定された角度で使うことしかできない。さらに、この１つしかないスロットはキーボードベースに収容できないので、この構造が機械的空間を占有し、キーボード機能を使用する必要のないときに、キーボードモジュールの外観に影響を与える。従って、タブレット型コンピューターを安定して支持することができ、タブレット型コンピューターとキーボードモジュールとの間の角度を調整することができるキーボードモジュールを設計することは重要な問題である。
【発明の概要】
【０００３】
本発明は、上記の問題を解決するために、携帯用電子機器を支持することができ、かつ収容されることができる支持機構を含むキーボードモジュールを提供するためのものである。
【０００４】
本願の開示内容によれば、キーボードモジュールは、キーボードベースと支持機構とを含む。支持機構はキーボードベース上に配置される。収容スペースが支持機構の内部に形成され、支持機構は少なくとも１つのトラックと、支持装置とを有する。少なくとも１つのトラックは収容スペース内に配置される。支持装置は収容スペースの内部に摺動可能に配置され、支持装置は少なくとも１つのトラックに沿って摺動して、収容スペースの外部の、携帯用電子機器を支持するための支持位置まで伸びる。
【０００５】
本願の開示内容によれば、支持装置は係合部を有する。支持機構はさらに、収容スペースの内部に配置される位置決めブロックを有する。係合部は位置決めブロックと係合し、支持装置を固定位置に固定するためのものである。
【０００６】
本願の開示内容によれば、キーボードモジュールはさらに、位置決めブロックに接続されるトリガー要素を含む。トリガー要素は、押されると、位置決めブロックを駆動して係合部から分離させるためのものである。
【０００７】
本願の開示内容によれば、支持機構はさらに、駆動ユニットと、２つのストッパーとを有する。駆動ユニットは、位置決めブロックが係合部から分離させられた後、支持装置を駆動して、固定位置から支持位置に移動させるためのものである。２つのストッパーは収容スペースの一方の側に配置され、支持装置が支持位置に移動するときにこれを止めるためのものである。
【０００８】
本願の開示内容によれば、駆動ユニットは、２つの第１の磁性要素と、２つの第２の磁性要素とを有する。２つの第１の磁性要素は、収容スペースの他方の側に配置される。２つの第２の磁性要素は支持装置に配置される。２つの第１の磁性要素及び２つの第２の磁性要素は同じ磁極を有し、位置決めブロックが係合部から分離された後、２つの第１の磁性要素と２つの第２の磁性要素との間に生じる磁気の反発力によって、支持装置は固定位置から支持位置へ移動する。
【０００９】
本願の開示内容によれば、駆動ユニットはさらに、収容スペースの前一方の側に配置される２つの第３の磁性要素を有する。２つの第２の磁性要素と２つの第３の磁性要素は反対の磁極を有し、支持装置は、２つの第３の磁性要素と２つの第２の磁性要素との間の磁気の引力によって支持位置に固定される。
【００１０】
本願の開示内容によれば、駆動ユニットは弾性要素を有し、弾性要素の一端は収容スペースの他方の側に接続され、弾性要素の他端は支持装置に接続される。弾性要素は、位置決めブロックが係合部から分離された後、固定位置から支持位置へ移動するよう支持装置を駆動する弾発力をもたらすためのものである。
【００１１】
本願の開示内容によれば、キーボードモジュールはさらに２つのトラックを含み、トラックの各々には固定ブロックが配置される。支持装置はさらに２つの支持ユニットを有し、支持ユニットの各々は、摺動要素と、第１の弾性要素と、支持要素と、第２の弾性要素と、リンク要素とを有する。摺動要素にはスロット及び接触部が形成され、第１の弾性要素の一端がスロットの一端に配置される。支持要素はその一端にシャフトを有し、このシャフトについてスロットの他端へ回転する。支持要素には、突起が形成される。第２の弾性要素はシャフトを覆う。第２の弾性要素は支持要素を駆動して回転させるためのものである。リンク要素の第１の端部は、第１の弾性要素の他端に接続され、リンク要素の第２の端部は支持要素の一端に接続される。リンク要素の、対応するトラックに面する側に駆動ブロックが配置される。支持装置が２つのトラックに沿って第１の方向へ摺動すると、固定ブロックは対応する駆動ブロックに接触し、対応する駆動ブロック及びリンク要素を駆動して第１の方向とは逆の第２の方向へ摺動させ、その結果、リンク要素が支持要素を駆動して第１の回転方向に回転させ、支持要素の突起が接触部に接触した後、支持要素は携帯用電子機器を支持する。
【００１２】
本願の開示内容によれば、支持装置はさらに、携帯用電子機器の第２のコネクターを接続するための第１のコネクターを有し、キーボードモジュールと携帯用電子機器との間で信号を送信する。
【００１３】
本願の開示内容によれば、第１の磁気引力要素が第１のコネクター上に配置され、第２の磁気引力要素が携帯用電子機器の第２のコネクター上に配置され、第１の磁気引力要素と第２の磁気引力要素とは互いに引き付け合う。
【００１４】
本願の開示内容によれば、支持装置が２つのトラックに沿って第１の方向とは逆の第２の方向へ摺動すると、各駆動ブロックは、対応する固定ブロックから分離させられ、第１の弾性要素はリンク要素を第１の方向へ押す弾発力を与え、第２の弾性要素は、支持要素を駆動して第１の回転方向とは逆の第２の回転方向に回転させる。その結果、支持要素がスロット内に収容された後、支持装置は収容スペース内へ摺動する。
【００１５】
本願の開示内容によれば、キーボードモジュールは、キーボードベースに対して回転する固定要素をさらに含む。固定要素は、携帯用電子機器がキーボードモジュールに対して折り畳まれるときに、回転して携帯用電子機器の側部に接触し、携帯用電子機器がキーボードベースに対して動くのを防ぐためのものである。
【００１６】
本願の開示内容によれば、キーボードモジュールはさらに、キーボードベース52の下に配置される少なくとも１つの滑り止め要素を含む。
【００１７】
本願の開示内容によれば、支持機構はキーボードベースに移動可能に取り付けられる。
【００１８】
本発明は、携帯用電子機器を支持するためのキーボードモジュールを提供するものであり、キーボードモジュールの支持機構は収容スペースに収容することができる。従って、キーボードモジュールを使用しないときは、支持機構を収容スペースに収容し、キーボードモジュールのための機械的空間を節約することができる。さらに、本発明の支持機構は、キーボードベースに移動可能に取り付けられるように設計可能なので、ユーザーは、支持機構をキーボードベースに対して異なる位置に移動させて携帯用電子機器とキーボードベースとの間の角度を調節し、異なる必要を満たすことができる。その結果、従来のキーボードベースには１つの固定された角度で携帯用電子機器を接続する１つのスロットしかなく、さらに、このスロットはキーボードベースに収容することができず機械的空間を占有するという問題を解決する。
【００１９】
様々な図を参照して説明される以下の好適な実施形態の詳細な説明を読んだならば、本発明のこれらの目的及びその他の目的が当業者に明らかになるであろうことは間違いない。
【図面の簡単な説明】
【００２０】
【図１】本発明の一実施形態によるキーボードモジュールの斜視図である。
【図２】本発明の本実施形態によるキーボードモジュールの底面側斜視図である。
【図３】本発明の本実施形態による支持機構の内部構造図である。
【図４】本発明の本実施形態による支持機構の部分拡大図である。
【図５】本発明の本実施形態による、支持装置が収容スペースに収容された状態を示す図である。
【図６】本発明の別の実施例による、支持装置が固定位置にあるときの駆動ユニット及び支持装置の位置を示す模式図である。
【図７】本発明の本実施例による、支持装置が支持位置にあるときの駆動ユニット及び支持装置の位置を示す模式図である。
【図８】本発明の本実施形態による、キーボードベースの部分構造図である。
【図９】本発明の本実施形態による、支持装置の部分構造図である。
【図１０】支持装置が固定位置にある状態における、本発明の本実施形態によるキーボードモジュールの図３の線Ａ−Ａ’に沿った断面図である。
【図１１】支持装置が支持位置にある状態における、本発明の本実施形態によるキーボードモジュールの図３の線Ａ−Ａ’に沿った断面図である。
【図１２】本発明の本実施形態による、支持機構が携帯用電子機器を一つの角度で支持することを示す図である。
【図１３】本発明の本実施形態による、支持機構が携帯用電子機器を別の角度で支持することを示す図である。
【図１４】本発明の本実施形態による、キーボードモジュールが携帯用電子機器に対して折り畳まれた状態を示す図である。
【発明を実施するための形態】
【００２１】
図１及び図２を参照されたい。図１は、本発明の一実施形態によるキーボードモジュール50の斜視図である。図２は、本発明の本実施形態によるキーボードモジュール50の底面側斜視図である。キーボードモジュール50は、携帯用電子機器51を支持しかつ固定するために使用することができる。携帯用電子機器51はタブレット型コンピューターであり得る。すなわち、携帯用電子機器51はキーボードモジュール50に取り外し可能に取り付けられる。キーボードモジュール50は、キーボードベース52と、支持機構54とを含む。キーボードベース52上には複数のキートップ又はタッチパッドを配置することができ、これらはユーザーの携帯用電子機器51への様々なコマンドの入力を容易にするためのものである。支持機構54はキーボードベース52に配置される。加えて、図２に示すように、キーボードベース52が支持面に置かれたときに、キーボードベース52がこの支持面に対して滑るのを防ぐために、少なくとも１つの滑り止め要素521をキーボードベース52の下に（底面に）配置することができる。本実施形態においては、キーボードモジュール50は、キーボードベース52の下の四隅に配置された４つの滑り止め要素521を含むことができる。
【００２２】
図１、図３及び図４を参照されたい。図３は、本発明の本実施形態による支持機構54の内部構造図である。図４は、本発明の本実施形態による支持機構54の部分拡大図である。図３に示すように、収容スペース56が支持機構54の内部に形成される。支持機構54は、収容スペース56に配置される少なくとも１つのトラック58と、支持装置60とを有する。本実施形態においては、支持機構54は、収容スペース56の２つの側に配置される２つのトラック58を有することができ、支持装置60はこの２つのトラック58に沿って摺動することができる。トラック58の数は、本実施形態のものに限定されない。例えば、支持機構54はトラック58を１つだけ有することもでき、その場合、支持装置60はそのたった１つのトラック58に沿って摺動することができる。本実施形態においては、図３に示すように、支持装置60は収容スペース56の内部に移動可能に配置され、２つのトラック58に沿って摺動して、収容スペース56の外部の、携帯用電子機器51を支持するための支持位置まで伸びる。すなわち、携帯用電子機器51を支持するために支持装置60を使う必要があるときは、支持装置60は２つのトラック58に沿って移動することができるので、支持装置60の構造の部分は収容スペース56の外部まで移動する。逆に、使う必要がないときは、支持装置60は２つのトラック58に沿って収容スペース56内へ移動して、収容スペース56内に完全に収容されることができる。
【００２３】
図３及び図５を参照されたい。図５は、本発明の本実施形態による、支持装置60が収容スペース56に収容された状態を示す図である。図３及び図５に示すように、支持装置60は係合部62を有することができる。支持機構54はさらに、収容スペース56の内部に配置される位置決めブロック64を有する。支持装置60が２つのトラック58に沿って収容スペース56内へ移動して収容スペース56の内部に完全に収容されると、係合部62は、支持装置60を固定位置に固定するように、位置決めブロック64と係合することができる。キーボードモジュール50はさらに、位置決めブロック64に接続されるトリガー要素66（a  trigger  component）を含むことができる。トリガー要素66は、押されると、位置決めブロック64を駆動して係合部62から分離させるためのものである。図３及び図５に示すように、支持機構54はさらに、駆動ユニット68（図５）及び２つのストッパー69を有する。ユーザーが支持装置60の構造の部分を収容スペース56から外へ移動したいときは、トリガー要素66を押して位置決めブロック64を係合部62から分離させることができる。駆動ユニット68は、位置決めブロック64が係合部62から分離させられた後、支持装置60を駆動して図５に示す固定位置から図３に示す支持位置に移動させるためのものである。２つのストッパー69は収容スペース56の一方の側に配置され、支持装置60が支持位置に移動するときにこれを止めて、これが収容スペース56から完全に分離するのを防ぐためのものである。
【００２４】
本実施形態においては、駆動ユニット68は、２つの第１の磁性要素681と、２つの第２の磁性要素683とを有することができる。２つの第１の磁性要素681は、収容スペース56の他方の側に配置され、２つの第２の磁性要素683は支持装置60に取り付けられる。本実施形態においては、２つの第１の磁性要素681及び２つの第２の磁性要素683は同じ磁極を有し、位置決めブロック64が係合部62から分離された後、２つの第１の磁性要素681と２つの第２の磁性要素683との間に生じる磁気の反発力によって、支持装置60は固定位置から支持位置へ移動するように設計できる。駆動ユニット68はさらに、収容スペース56の一方の側に配置される２つの第３の磁性要素685を有することができる。本実施形態においては、２つの第３の磁性要素685はそれぞれ２つのストッパー69の上に配置され、２つの第２の磁性要素683と２つの第３の磁性要素685は反対の極を有するように設計できる。支持装置60は、２つの第３の磁性要素685と２つの第２の磁性要素683との間の磁気の引力によって支持位置に安定して固定される。本発明の駆動ユニット68は、第１の磁性要素681と、第２の磁性要素683と、第３の磁性要素685とからなる構成に限定されず、磁性要素の数もまた本実施形態のものに限定されない。
【００２５】
例えば、図６及び図７を参照されたい。図６は本発明の別の実施例による、支持装置が固定位置にあるときの駆動ユニット68’及び支持装置60の位置を示す模式図であり、図７は本発明の本実施例による、支持装置が支持位置にあるときの駆動ユニット68’及び支持装置60の位置を示す模式図である。本実施例においては、駆動ユニット68’は弾性要素であり得る。弾性要素の一端は、収容スペース56の他方の側の案内トラック561に移動可能に接続され、弾性要素の他端は、支持装置60に接続される。図６に示すように、支持装置60が固定位置にあるときには、弾性要素は押圧され、弾性要素の一端は案内トラック561の右側にあるので、弾性要素はこのとき弾性ポテンシャルエネルギーを蓄える。位置決めブロック64が係合部62から分離された後、弾性要素の一端は案内トラック561の右側から案内トラック561の左側へ移動し、弾性要素は、図7に示すように、固定位置から支持位置へ移動するよう支持装置60を駆動する弾発力をもたらすための弾性ポテンシャルエネルギーを解き放つ。
【００２６】
図３、図４、図８及び図９を参照されたい。図８は、本発明の本実施形態による、キーボードベース52の部分構造図である。図９は、本発明の本実施形態による、支持装置60の部分構造図である。キーボードモジュール50は２つのトラック58を含み、トラック58の各々には固定ブロック581が配置される。図３、図４及び図９に示すように、支持装置60は２つの支持ユニット70を有し、支持ユニット70の各々は、摺動要素72と、第１の弾性要素74と、支持要素76と、第２の弾性要素78と、リンク要素80とを有する。摺動要素72にはスロット721及び接触部723が形成され、第１の弾性要素74の一端がスロット721の一端に配置される。支持要素76はスロット721に配置される。支持要素76はその一端にシャフト761を有し、シャフト761についてスロット721の他端へ回転する。支持要素76には、突起763が形成される。第２の弾性要素78はシャフト761を覆い、支持要素76を駆動して回転させるためのものである。リンク要素80の第１の端部801は、第１の弾性要素74の他端に接続され、リンク要素80の第２の端部803は支持要素76のシャフト761に接続される。対応するトラック58に面する、リンク要素80の側に駆動ブロック805が配置される。
【００２７】
本発明のキーボードモジュール50の操作手順は以下の通りである。図３乃至図６、及び図９乃至図１１を参照されたい。図１０は支持装置が固定位置にある状態における、本発明の本実施形態によるキーボードモジュール50の図３の線Ａ−Ａ’に沿った断面図であり、図１１は支持装置が支持位置にある状態における、本発明の本実施形態によるキーボードモジュール50の図３の線Ａ−Ａ’に沿った断面図である。ユーザーが携帯用電子機器51をキーボードモジュール50に配置したいときは、トリガー要素66を押して位置決めブロック64を係合部62から分離させる。このとき、支持装置60は、２つの第１の磁性要素681と２つの第２の磁性要素683との間で発生する磁気の反発力と、２つの第３の磁性要素685と２つの第２の磁性要素683との間で発生する磁気の引力とによって、固定位置から第１の方向（＋Ｘ方向）へ移動する。支持装置60を固定位置から支持位置へ移動させる手順において、図１１に示すように、各トラック58の固定ブロック581は対応する駆動ブロック805に接触し、対応する駆動ブロック805及びリンク要素80を駆動して第１の方向（＋Ｘ方向）とは逆の第２の方向（−Ｘ方向）へ摺動させ、リンク要素80は第１の弾性要素74を押圧する。図９に示すように、リンク要素80の第２の端部803を鉤型部（a  hook−shaped  portion）として形成し、支持要素76のシャフト761に接続することができる。その結果、リンク要素80は−Ｘ方向へ移動し、支持要素76を駆動して第１の回転方向Ｒ１に回転させ、支持要素76を広げる。支持装置60が支持位置へ移動し、支持要素76の突起763が接触部723に接触した後、支持要素76は図１に示した携帯用電子機器51を支持することができる。ユーザーが支持装置60を収容スペース56に収容したいときは、支持装置60を2つのトラック58に沿って−Ｘ方向へ摺動させることができる。このとき各駆動ブロック805は、対応する固定ブロック581から分離させられ、その結果、第１の弾性要素74はリンク要素80を第１の方向（＋Ｘ方向）へ押す弾発力を与え、支持要素76のシャフト761を覆う第２の弾性要素78は、支持要素76を駆動して第１の回転方向Ｒ１とは逆の第２の回転方向Ｒ２に回転させる。その結果、支持要素76がスロット761に収容された後、支持装置60は収容スペース56内へ摺動し、支持装置60を収容する工程が終了する。
【００２８】
図１及び図３を参照されたい。本発明の支持装置60はさらに、キーボードモジュール50と携帯用電子機器51との間で信号を送信するために、携帯用電子機器51の第２のコネクター（図示せず）を接続するための第１のコネクター601を有することができる。キーボードモジュール50と携帯用電子機器51との間で信号を送信する形態は、本実施形態に限定されない。例えば、無線通信によって信号を送信するために、２つの無線通信モジュールをキーボードモジュール50と携帯用電子機器51のそれぞれに配置することができる。さらに、本実施形態においては、第１の磁気引力要素603を第１のコネクター601上に配置することができ、第２の磁気引力要素（図示せず）を携帯用電子機器51の第２のコネクター（図示せず）上に配置することができる。その結果、第１の磁気引力要素603と第２の磁気引力要素とは互いに引き付け合い、支持装置60の第１のコネクター601は携帯用電子機器51の第２のコネクターに安定して接続される。
【００２９】
図１２及び図１３を参照されたい。図１２は本発明の本実施形態による、支持機構54が携帯用電子機器51を一つの角度で支持することを示す図であり、図１３は本発明の本実施形態による、支持機構54が携帯用電子機器51を別の角度で支持することを示す図である。本実施形態においては、支持機構54は、キーボードベース52に移動可能に取り付けられるように設計される。すなわち、図１２及び図１３に示すように、ユーザーは支持機構54をキーボードベース52に対して異なる位置に移動させて携帯用電子機器51とキーボードベース52との間の角度を調節し、異なる必要を満たすことができる。支持機構54をキーボードベース52に対して移動させる機械的構造はレール機構であってもよいが、これに限定されない。支持機構54をキーボードベース52に対して移動させることのできる機構は本発明の範囲に含まれる。図１４を参照されたい。図１４は、本発明の本実施形態による、キーボードモジュール50が携帯用電子機器51と共に折り畳まれた状態を示す図である。本発明のキーボードモジュール50は、さらに、キーボードベース52に対して回転する固定要素82を含むことができる。固定要素82は、携帯用電子機器51がキーボードモジュール50に対して折り畳まれるときに、回転して携帯用電子機器51の側部に接触し、携帯用電子機器51がキーボードベース52に対して動くのを防ぐためのものである。従って、ユーザーがキーボードモジュール50と携帯用電子機器51を持ち運びたいときには、キーボードモジュール50は携帯用電子機器51と共に折り畳むことができ、固定要素82が携帯用電子機器51の側部に接触して、キーボードモジュール50と携帯用電子機器51を固定する。
【００３０】
従来技術とは異なり、本発明は携帯用電子機器を支持するキーボードモジュールを提供するものであり、キーボードモジュールの支持機構は収容スペースに収容することができる。従って、キーボードモジュールを使用しないときは、支持機構を収容スペースに収容し、キーボードモジュールのための機械的空間を節約することができる。さらに、本発明の支持機構は、キーボードベースに移動可能に取り付けられるように設計可能なので、ユーザーは支持機構をキーボードベースに対して異なる位置に移動させて携帯用電子機器とキーボードベースとの間の角度を調節し、異なる必要を満たすことができる。その結果、従来のキーボードベースには１つの固定された角度で携帯用電子機器を接続する１つのスロットしかなく、さらに、このスロットはキーボードベースに収容することができず機械的空間を占有するという問題を解決する。
【００３１】
当業者であれば、本発明の教示を保持したまま本機器及び本方法に多数の変形形態及び変更が可能であることに容易に気付くであろう。従って、以上の開示は、添付の特許請求の範囲によってのみ限定されるものと解釈されるべきである。
【図１】
2015036978.tif 000003
【図２】
2015036978.tif 000004
【図３】
2015036978.tif 000005
【図４】
2015036978.tif 000006
【図５】
2015036978.tif 000007
【図６】
2015036978.tif 000008
【図７】
2015036978.tif 000009
【図８】
2015036978.tif 000010
【図９】
2015036978.tif 000011
【図１０】
2015036978.tif 000012
【図１１】
2015036978.tif 000013
【図１２】
2015036978.tif 000014
【図１３】
2015036978.tif 000015
【図１４】
2015036978.tif 000016